(57)【要約】【課題】画像読取装置の読取装置を駆動する駆動ベルトを、構成の簡単な支持ブラケットにより従動側プーリを支持し、装置フレームの外側からタップネジを装着して、駆動ベルトの張力の調整を容易に行い得るようにする。【解決手段】画像読取装置の読取装置を駆動する駆動ベルト２４は、従動プーリ２６を支持ブラケット３０に支持させて、駆動ベルト２４にたるみが生じたときには、装置の側部フレーム９から装着するタップネジ３５を回転させて、支持ブラケット３０の後板部材３４にネジ込むことにより、移動させるようにする。前記タップネジ３５はそのネジの先端部が後板部材３４に入り込む程、支持ブラケット３０を側部フレーム９に近付けるようにするので、その支持ブラケットの移動により、駆動ベルト２４を緊張させるようにされる。【選択図】　　　　　図３
2004013047.tif 000002
【特許請求の範囲】
【請求項１】
装置本体に設けたプラテンの下部で往復移動可能に配置する読取装置と、
前記読取装置を移動させるための駆動手段と、を設け、
前記読取装置の駆動手段のベルトに、張力を付与する張力調整機構を設けてなる画像読取装置において、
前記張力調整装置においては、従動側プーリを保持する支持ブラケットの直立板部材を、装置本体に設けた直立部材に平行に直立させて設け、
前記支持ブラケットの直立板部材と、装置本体に設けている直立部材とに亘ってタップネジを装着し、
前記タップネジを回転させて装置本体の直立部材に対して支持ブラケットを移動させ、前記ベルトの張力を調整することを特徴とする駆動ベルトの張力調整機構。
【請求項２】
前記従動側プーリを保持する支持ブラケットには、装置フレームの底板に摺動可能な底板部材にネジ孔を設け、前記タップネジによりベルトの張力を調整した後で、底板に固定することを特徴とする請求項１に記載の駆動ベルトの張力調整機構。
【発明の詳細な説明】
【０００１】
【発明の属する技術分野】
本発明は、画像読取装置に設ける読取装置の駆動装置に関し、特に、読取装置を駆動するためのベルトの張力の調整を容易に行い得る装置に関する。
【０００２】
【従来の技術】
ファクシミリ装置や複写機等の画像形成装置と組み合わせて設ける画像読取装置においては、原稿をセットするプラテンの下面に沿って移動する読取装置を配置し、前記読取装置を副走査方向に移動可能に設けている。前記読取装置は、光源としてのランプと複数のミラーおよび、結像レンズとＣＣＤ等の光電変換手段とを組み合わせて１つのユニットとして構成したものを用いている場合もある。そして、原稿を載置したプラテンの下面に沿わせて、前記読取装置を移動させることにより、原稿の画像を読み取った情報を、デジタル信号として出力する。前記読取装置から伝達されるデジタル信号は、ファクシミリ装置における送信信号として用いる他に、複写機においては画像記録部で書込み手段に伝達され、感光体に光情報の書込みを行わせるために用いるようにしている。
【０００３】
【発明が解決しようとする課題】
前記走査装置に配置する読取装置を移動させるために、１つの駆動装置を用いる場合には、前記駆動装置により駆動される駆動ベルトに読取装置を接続して、プラテンの下面に沿わせて往復移動させ、その読取装置の移動の往路で原稿の画像の読取りを行っている。そのために、前記駆動ベルトに一定の値の張力が付与されていない状態では、読取装置の移動速度が不安定となり、読取り速度が一定しないという不都合が発生する。
【０００４】
また、前記駆動ベルトに伸び等が発生した場合には、その駆動ベルトの伸びを随時調整する必要があるので、従来よりベルトの張力調整装置を、駆動側と反対側の端部（従動プーリ側）に配置して、駆動ベルトの張力を一定に維持させるようにしている。ところが、前記張力調整装置を画像読取装置の本体フレームの内部に配置する場合には、例えば、プラテンを外した状態で駆動ベルトの張力の調整を行う必要があり、その張力調整装置に対するメンテナンスが面倒である等の問題が残っている。
【０００５】
本発明は、前述したような従来の張力調整手段の問題を解消しようとするもので、テンション側のプーリを支持する支持ブラケットを、装置フレームに固定している直立部材とに亘って装着したネジ部材により移動可能とし、駆動ベルトの張力の調整を容易に行い得る装置を提供することを目的としている。
【０００６】
【課題を解決するための手段】
本発明は、装置本体に設けたプラテンの下部で往復移動可能に配置する読取装置と、前記読取装置を移動させるための駆動手段と、を設け、前記読取装置の駆動手段のベルトに、張力を付与する張力調整機構を設けてなる画像読取装置に関する。本発明の請求項１の発明は、前記張力調整装置においては、従動側プーリを保持する支持ブラケットの直立板部材を、装置本体に設けた直立部材に平行に直立させて設け、前記支持ブラケットの直立板部材と、装置本体に設けている直立部材とに亘ってタップネジを装着し、前記タップネジを回転させて装置本体の直立部材に対して支持ブラケットを移動させ、前記ベルトの張力を調整することを特徴とする。
【０００７】
請求項２の発明は、前記従動側プーリを保持する支持ブラケットには、装置フレームの底板に摺動可能な底板部材にネジ孔を設け、前記タップネジによりベルトの張力を調整した後で、底板に固定することを特徴とする。
【０００８】
前述したように構成したことにより、本発明の装置においては、張力調整装置として特に複雑な構成の部材を用いる必要がなく、単純な構成の従動プーリ支持部材としての支持ブラケットを用いて、駆動ベルトによる読取装置の案内を適正に行うことができる。また、前記駆動ベルトの張力を調整する際には、支持ブラケットの直立板部材に対して、装置フレームの直立部材からタップネジをネジ込むのみで、駆動ベルトの張力を適宜調整できるので、その作業を容易に行うことができる。
【０００９】
【発明の実施の形態】
図示される例にしたがって、本発明の装置の構成を説明するが、図１には読取装置と駆動装置の構成を示す平面図を、図２にはその正面図を示している。前記図１、２に示すように、画像読取装置１のプラテン２の下面に沿って移動し、原稿の画像の読取りを行う読取装置１０を、駆動装置２０により往復移動させるように設けている。前記装置フレーム３内で読取装置１０を往復移動させるために、装置フレーム３のフロント側に配置するガイドレール７にスライド部材１７を摺動させ、前記装置フレーム３のリヤ側に配置するガイドロッド８にロッド摺動部材１８を組み合わせて、駆動装置２０の駆動ベルト２４により往復移動させるように設けている。
【００１０】
前記読取装置１０は、１つの読取りユニットとして構成されているもので、装置本体にランプ１１とミラー１２の他に、光を反射する複数のミラーを組み合わせて、端部のミラーにより反射した光をレンズ１３を介してＣＣＤ１４に結像して、前記ＣＣＤ１４により光信号をデジタル信号として出力させる。前記画像読取装置１のフレーム３は、図３に示すように、上部に配置するプラテン２に対してフロントフレーム４、リヤフレーム５および底部フレーム６を組み合わせて設け、前記フロントフレーム４の内面にはガイドレール７を突出させるように配置し、リヤフレーム５の内側にはガイドロッド８と駆動ベルト２４とを平行に配置している。前記読取装置１０は、駆動ベルト２４の駆動側をベルト固定部１９に取付け、ベルトの戻り側２４ａはフレームの底部フレーム６に沿って配置される。なお、前記駆動ベルト２４は、従来より画像形成装置の駆動機構等に用いられているような、ベルトの一方の面に所定のピッチで凹凸を形成した歯付ベルトを用いるが、前記読取装置１０を駆動するための歯付ベルトとしては、従来公知の任意のタイミングベルト等を用いることが可能である。
【００１１】
前記読取装置１０を往復移動させる駆動装置２０は、本体フレーム３のリヤフレーム５に支持させるモータ２１から、伝導ベルト２２を介して駆動プーリ２３を駆動し、前記駆動プーリ２３に巻き掛けた駆動ベルト２４を読取装置１０に接続して、前記読取装置１０を往復移動させる。前記駆動装置２０の他方の側には張力調整装置２５を設けており、前記張力調整装置２５においては、従動側プーリ２６を支持する支持ブラケット３０を、フレーム３の底板６に対して移動可能で、任意の位置で固定可能に設けている。そして、前記張力調整装置２５を移動させることにより、駆動ベルト２４のたるみを解消して、駆動装置２０により読取装置１０を一定の速度で往復移動させる。
【００１２】
前記図１ないし図３に示すように構成された読取装置１０と、駆動装置２０とを設けた画像読取装置１においては、プラテンにセットした原稿のサイズの情報に対応させて、モータ２１を正転させて読取装置１０を副走査方向に移動させる。そして、読取りの終了後にモータ２１を逆転させて読取装置１０を待機位置に戻す動作を行うに際、および、読取りの動作の際の、読取装置の往復移動に際して、駆動ベルト２４の張力を一定に維持でき、原稿の読取り時の読取装置１０の移動速度を定速に維持できるようにする。
【００１３】
前記駆動装置に対向させて配置する張力調整装置２５は、樹脂材料を用いて後述する各構成部材を一体成型したものとし、図４、５に示すように構成されるが、図４には側面図を、図５には平面図で示している。前記各図に示すように、張力調整装置２５で従動側プーリ２６を支持する支持ブラケット３０は、従動側プーリ２６の軸２７を支持する直立側部材を、底板部材３１上に突出させて設けている。また、前記底板部材３１には、巾の広い部分にネジ孔３２、３２ａを設けて、止めネジ３３、３３ａにより、本体フレーム３の底板６に対して固定可能に設けている。前記支持ブラケット３０の一側部（図の右側）には、本体フレーム３の側部フレーム９に対応させた直立板部材３４を設けており、前記側部フレーム９、または、前記側部フレーム９の内側に、直立させて設ける直立部材に対応させている。そして、前記直立板部材３４と直立部材とに亘って、タップネジ３５をネジ込むことにより、前記支持ブラケット３０を側部フレーム９側に移動させて、駆動ベルトに張力を付与し得るようにしている。なお、本実施例において、側部フレーム９と支持ブラケット３０の直立板部材３４に亘ってタップネジ３５をネジ込む例で説明するが、前記側フレームの内側に平行な直立部材を固定配置する場合にも、前記側部フレームに設けた孔からタップネジをネジ込んで、直立部材に向けて支持ブラケット３０を移動させるように構成しても良い。
【００１４】
前記タップネジ３５としては、一般に用いられているようなタップネジを用いることができるもので、側部フレーム９に設けた孔からタップネジ３５を挿入して、そのネジの先端部を樹脂製の直立部材としての後板部材３４に貫入させる。そして、前記タップネジ３５の挿入長さに応じて、張力調整装置２５を側部フレーム９側に移動させることにより、駆動ベルト２４に対する張力を適宜調整可能にする。なお、前記駆動ベルトの張力調整機構においては、駆動ベルトが伸びた長さを調整するに際して、張力調整装置２５を引っ張り方向（図の右側）に移動させる作用を行うのみであるから、前記ベルトの張力の調整に際しては、単純にタップネジ３５を後板部材３４に挿入して、そのネジの入り込んだ長さだけ、張力調整装置２５を移動させるような動作を行うことができる。
【００１５】
前記実施例において、駆動ベルト２４の張力の調整を行うためのタップネジ３５の装着位置は、できるだけ従動側プーリ２６の軸の中心に対応させた高さに配置すれば、駆動ベルトの張力を適正に調整することができるものとなる。また、前記タップネジ３５の装着位置が、他の部材との関係で、プーリの幅方向と軸の中心に正確に対応し得ないときでも、その目的とする位置に近付けて、タップネジ３５を装着できるようにすれば良い。その他に、前記支持ブラケット３０の底部フレーム６に対する移動のために、何等かの案内手段を用いている場合には、支持ブラケット３０に対するタップネジ３５による張力の付与位置は、前記軸とプーリの中心に限定しなくても、不都合が生じない場合も考えられる。なお、前記支持ブラケット３０を設ける位置は、読取装置の移動範囲外の位置であるから、前記支持ブラケットを装着している部分の上部に、開放可能な蓋等の着脱可能な板部材を設けておくと、プラテンを取り外さずに、支持ブラケットを移動・固定させる動作を容易に行うことが可能である。
【００１６】
前記図３〜５に示されたような構成を有する張力調整装置２５を設けたことにより、従動側プーリ２６に巻き掛けた駆動ベルト２４にたるみ（張力が減少する状態）が生じた場合には、まず、底部フレーム６に支持ブラケット３０を固定しているネジ３３を緩める。そして、前記装置フレーム３の側部フレーム９に設けてある孔から装着しているタップネジ３５を、ドライバーのような工具で回転させて、ネジ先端部を支持ブラケット３０の後板部材３４にねじ込むようにして、駆動ベルト２４の張力が正常になるように調整する。
【００１７】
次いで、底部ネジ３３を締め付けて、フレーム６に支持ブラケット３０を固定することで、駆動ベルトの張力を調整した状態で、読取装置１０を定速でスムーズに案内できるようにする。また、前記駆動ベルト２４での張力の状態を確認するためには、一般にはプラテンを取り外す等して、駆動ベルトに直接触れることができるようにして行うが、その他に、装置の側部に開閉可能な孔等を設けておき、細い棒等を挿入して駆動ベルト２４に触れることができるようにすれば、張力の調整状態を容易に確認できることにもなる。
【００１８】
前記張力調整装置に配置する各構成部材において、底部フレーム６に対して位置される支持ブラケット３０の底板部材３１は、例えば、前記底部フレーム６に突条等を設けておき、底板部材３１にはその突条に対応させて、ベルトの調節方向に延びる溝等を設けておくと、底板部材３１を移動させる際の案内を容易に行うことができる。また、前記底部フレーム６には所定の間隔をおいて多数のネジ止め孔を形成しておき、支持ブラケット３０をネジ止めするに際して、底板部材３１に設けた長孔を用いて止めネジ３３を装着できるようにすると良い。さらに、前記支持ブラケット３０に設ける従動側プーリ２６の支持部材と、底板部材３１に設けるネジ孔等は、特に図示された構造に限定されるものではなく、実施例の作用を行い得るものであれば、任意に構成することができる。なお、前記ベルトの張力を調整する手段は、読取装置の駆動ベルトに対して適用するのみでなしに、一般のプリンタ、インクジェットプリンタ等の装置において、キャリッジを移動させるための駆動ベルトにも適用することが可能である。
【００１９】
【発明の効果】
本発明は、前述したように構成したものであるから、張力調整装置として特に複雑な構成の部材を用いる必要がなく、単純な構成の従動プーリ支持部材としての支持ブラケットを用いて、駆動ベルトと読取装置の案内を行うことができる。また、前記駆動ベルトの張力を調整する際には、支持ブラケットの直立板部材に対して、装置フレームの直立部材からタップネジをネジ込むのみで、駆動ベルトの張力を適宜調整できるので、その作業を容易に行うことができる。
【図面の簡単な説明】
【図１】本発明の画像読取装置の構成を示す平面図である。
【図２】図１の画像読取装置の側面図である。
【図３】画像読取装置の断面図である。
【図４】張力調整装置の側面図である。
【図５】張力調整装置の平面図である。
【符号の説明】
１　　画像読取装置、　２　　プラテン、　３　　フレーム、
４　　フロントフレーム、　５　　リヤフレーム、　６　　底部フレーム、
７　　ガイドレール、　８　　ガイドロッド、　９　　側部フレーム、
１０　　読取装置、　１１　　ランプ、　１２　　ミラー、
１３　　レンズ、　１４　　ＣＣＤ、　１７　　スライド部材、
１８　　ロッド摺動部材、　１９　　ベルト固定部、　２０　　駆動装置、
２１　　モータ、　２２　　伝導ベルト、　２３　　駆動プーリ、
２４　　駆動ベルト、　２５　　張力調整装置、　２６　　従動側プーリ、
２７　　支軸、　３０　　支持ブラケット、　３１　　底板部材、
３２　　ネジ孔、　３３　　ネジ、　３４　　直立板部材、
３５　　タップネジ。
【図１】
2004013047.tif 000003
【図２】
2004013047.tif 000004
【図３】
2004013047.tif 000005
【図４】
2004013047.tif 000006
【図５】
2004013047.tif 000007